(57)【要約】【課題】  携帯電話からの情報を利用することにより、広告の利用状態を評価できる広告システム、及び特定の場所を訪れた顧客に有効な広告情報を提供できる広告システムを提供すること。【解決手段】  二次元デジタル表示フレーム１と二次元コード４とを備えた広告表示部材２と、携帯電話９からの要求に基づいて所定のＨＰの内容をインターネットＮを介して送信する情報供給システム３とが備えられている。二次元コード４には、ＨＰ情報７Ａと位置情報５Ａが含まれており、携帯電話９のカメラ１３を介してインターネットＮによる情報通信を行う際には、携帯電話９が写した二次元コード４の位置情報８Ａと、その携帯電話９が閲覧したＨＰ情報８Ｂが情報供給システム３のアクセス管理用ＤＢ８に記録される。【選択図】          図１
2010211663.tif 000002
【特許請求の範囲】
【請求項１】
複数のデジタル広告情報を表示可能な二次元デジタル表示フレームと、所定のホームページへのアクセス情報と設置位置を特定するための位置情報とを含む二次元コードとを備えた広告表示部材と、
インターネットに接続可能な情報供給システムとが設けられており、
前記情報供給システムには、前記二次元コードが携帯電話のカメラによって読み込まれることにより前記携帯電話を前記ホームページにアクセスさせインターネットを介して前記ホームページの内容に関するデータを受信させて前記携帯電話の液晶表示部に前記ホームページを表示させるホームページ管理用データベースと、前記位置情報とその位置情報に関するデータとを記録する設置位置管理用データベースと、前記位置情報と前記携帯電話が閲覧したホームページを特定するホームページ情報とを記録するアクセス管理用データベースとが備えられ、
前記アクセス管理用データベースに記録されたデータと、前記設置位置管理用データベースに記録されたデータとを参照することにより、所定の広告に関するホームページが閲覧された回数の多少に基づいて位置の順位付けして設置位置を並べ替えることが可能であることを特徴とする広告システム。
【請求項２】
前記二次元デジタル表示フレームはインターネットに接続可能とされるとともに前記デジタル広告情報の内容を記録可能な広告情報サブデータベースが備えられている一方、前記情報供給システムには、前記広告情報サブデータベースよりも多数のデジタル広告情報の内容を記録した広告情報メインデータベースが設けられており、前記順位付けの内容に基づいて、前記広告情報メインデータベースから所定のデジタル広告情報の内容を所定位置に設置された前記広告情報サブデータベースの内容を書き換えることを特徴とする請求項１に記載の広告システム。
【発明の詳細な説明】
【技術分野】
【０００１】
本発明は、携帯電話のカメラと二次元コードを利用した広告システムなどに関する。
【背景技術】
【０００２】
携帯電話に付属したカメラを利用して、所定のＨＰにアクセスできる二次元コードが知られている。この方式を利用した広告システムが開発されている。例えば、特許文献１には、利用者が所持する携帯端末で屋外に設置された屋外看板に描かれた二次元コードを撮影し、この画像情報から文字や数字を復号して配信サーバ識別情報を抽出し、抽出した配信サーバ識別情報で示される配信サーバから受信した広告情報を表示する技術が開示されている。
【先行技術文献】
【特許文献】
【０００３】
【特許文献１】特開２００８−４０２４３号公報
【発明の概要】
【発明が解決しようとする課題】
【０００４】
上記技術では、屋外に設置された看板から所定の広告情報にアクセスできるのみであるため、複数の広告を掲示するためには複数の看板を立てねばならなかった。
携帯電話と二次元コードを組み合わせた広告システムには、新たな広告システムを開発できる可能性が秘められている。
本発明は、上記した事情に鑑みてなされたものであり、その目的は、携帯電話からの情報を利用することにより、広告の利用状態を評価できる広告システム、及び特定の場所を訪れた顧客に有効な広告情報を提供できる広告システムを提供することである。
【課題を解決するための手段】
【０００５】
上記目的を達成するための発明に係る広告システムは、複数のデジタル広告情報を表示可能な二次元デジタル表示フレームと、所定のホームページへのアクセス情報と設置位置を特定するための位置情報とを含む二次元コードとを備えた広告表示部材と、
インターネットに接続可能な情報供給システムとが設けられており、
前記情報供給システムには、前記二次元コードが携帯電話のカメラによって読み込まれることにより前記携帯電話を前記ホームページにアクセスさせインターネットを介して前記ホームページの内容に関するデータを受信させて前記携帯電話の液晶表示部に前記ホームページを表示させるホームページ管理用データベースと、前記位置情報とその位置情報に関するデータとを記録する設置位置管理用データベースと、前記位置情報と前記携帯電話が閲覧したホームページを特定するホームページ情報とを記録するアクセス管理用データベースとが備えられ、
前記アクセス管理用データベースに記録されたデータと、前記設置位置管理用データベースに記録されたデータとを参照することにより、所定の広告に関するホームページが閲覧された回数の多少に基づいて位置の順位付けをして設置位置を並べ替えることが可能であることを特徴とする。
上記発明において、特定の携帯電話が、複数の二次元デジタル表示フレームの二次元コードを読み取りホームページにアクセスすると、それらの二次元デジタル表示フレームの位置情報から特定の携帯電話を保有する人の行動範囲、行動パターンをアクセスした履歴より分析することが好ましい。このような構成とすれば、その特定の携帯電話を保有する人に対して効果的で有効な情報や広告を提供できる。
【０００６】
上記発明において、前記二次元デジタル表示フレームはインターネットに接続可能とされるとともに前記デジタル広告情報の内容を記録可能な広告情報サブデータベースが備えられている一方、前記情報供給システムには、前記広告情報サブデータベースよりも多数のデジタル広告情報の内容を記録した広告情報メインデータベースが設けられており、前記順位付けの内容に基づいて、前記広告情報メインデータベースから所定のデジタル広告情報の内容を所定位置に設置された前記広告情報サブデータベースの内容を書き換えることが好ましい。
【０００７】
「二次元デジタル表示フレーム」とは、デジタル情報とされた広告情報（例えば、写真、動画、文字データなどを含む）を表示可能なディスプレイを意味する。二次元デジタル表示フレームには、例えば液晶プロジェクター、液晶テレビ、ＬＥＤ、有機ＥＬ液晶、有機ＥＬテレビ、デジタルポスター、デジタルフォトフレーム、フォトプレーヤー、デジタル写真立てなどが含まれるが、これらに限られない。
「二次元コード」とは、水平方向と垂直方向の二次元方向に情報を有するコードを意味する。多くの携帯電話に付属している二次元コードスキャナは、二次元コードを面として認識し、そこに表されている情報を読取る。二次元コードの例としては、スタック式のもの（PDF417、コード49、コード１６ｋ、コーダブロックなど）、マトリックス式のもの（コードワン、データコード、アレイタグ、QRコード、ボックス図形コード、マキシコード、ベリコード、ソフトストリップ、CPコード、カルラコード、ウルトラコードなど）などがある。本発明においては、いずれの二次元コードを利用することもできる。
【０００８】
「位置情報」とは、広告表示部材が設置されている場所を特定するための情報を意味している。この位置情報は、（１）住所表記または店舗表記等のように直接に位置を特定するための情報、（２）その広告表示部材に与えられたＩＤコード（番号、アルファベット、その他の記号など）等のように間接的に位置を特定するための情報を含む。なお、間接的に位置を特定するためには、このＩＤコードの他に、ＩＤコードと設置場所を特定するためのデータベースを設けることが好ましい。
二次元データによってコードされている「所定のホームページ」とは、一つでも良いし、複数でも良い。但し、一つのホームページとすることにより、ホームページへのアクセスデータを管理しやすくなるので好ましい。つまり、複数の異なる場所に設置された広告表示部材について、二次元コードを介して携帯電話からホームページにアクセスする場合には、全て同じ（或いは、少数の）トップ位置のホームページが表示されることになる。ここで、携帯電話からは位置情報も送信されているので、データベース管理者はその携帯電話がいずれの広告表示部材を通して、そのホームページを閲覧しているかを知ることができる。
【発明の効果】
【０００９】
本発明によれば、所定の位置に設置された広告表示部材の二次元コードを介して携帯電話から所定のホームページにアクセスする。二次元コードには、所定のホームページへのアクセス情報に加えて、設置位置を特定するための位置情報が含まれている。閲覧者が適当にホームページをアクセスすると、閲覧されたホームページを特定するホームページ情報と位置情報がアクセス管理用データベースに記録される。このため、アクセス管理用データベースに記録されたデータと、設置位置管理用データベースに記録されたデータとを参照することにより、特定の位置からアクセスした閲覧者が好んで閲覧する（或いは閲覧しない）ホームページを順位付けできる。そこで、広告提供者は、自己の広告がどのような場所で閲覧される可能性が高いかを知ることができるので、広告の利用状態を評価できる。また、広告提供者は、効果的な広告設置場所を選定できるとともに、特定の場所を訪れた閲覧者に有効な広告情報を提供できる。
また、広告情報メインデータベースから、広告情報サブデータベースを書き換えられる構成とすれば、特定の設置場所で閲覧される可能性の高い情報を含んだ広告を提供できるので、広告提供者および閲覧者にも有効な広告システムとなる。
【図面の簡単な説明】
【００１０】
【図１】第１実施形態の構成概要を示す図である。
【図２】二次元デジタル表示フレームの構成概要を示す図である。
【図３】携帯電話において、ホームページを閲覧するための構成概要を示す図である。
【図４】ホームページ管理用データベースの構成を示す図である。
【図５】設置位置管理用データベースの構成を示す図である。
【図６】アクセス管理用データベースの構成を示す図である。
【図７】携帯電話を利用してホームページを閲覧する者の操作概要を示すフローチャートである。
【図８】情報供給システムがホームページ閲覧者にデータを提供するときの動作概要を示すフローチャートである。
【図９】第２実施形態の構成概要を示す図である。
【発明を実施するための形態】
【００１１】
次に、本発明の実施形態について、図表を参照しつつ説明するが、本発明の技術的範囲は、これらの実施形態によって限定されるものではなく、発明の要旨を変更することなく様々な形態で実施することができる。また、本発明の技術的範囲は、均等の範囲にまで及ぶものである。
＜第１実施形態＞
図１には、第１実施形態の広告システムに関する構成の概要を示した。この広告システムには、デジタル広告情報を表示する二次元デジタル表示フレーム１（以下、「フレーム１」という）を備えた広告表示部材２と、インターネットＮに接続可能な情報供給システム３とが備えられている。広告表示部材２には、フレーム１の近傍に二次元コード４（例えば、ＱＲコード）が設けられている。この二次元コード４には、所定のホームページ（例えば、http://www.hattori-marking.com/）にアクセスするためのＨＰ情報７Ａと、広告表示部材２の設置位置を特定するための位置情報５Ａが含まれている。本実施形態では、位置情報は各広告表示部材２に与えられたＩＤコードとされており、そのＩＤコードと設置位置とは、後述の設置位置管理用データベース（ＤＢ）５に記録されている。
【００１２】
情報供給システム３には、インターネットＮに接続するためのコンピュータ６と、三個のＤＢが含まれている。これらのＤＢは、ホームページ（以下、「ＨＰ」と記載することがある）の内容を記録したホームページ管理用ＤＢ７と、位置情報とその位置情報に関するデータとを記録する設置位置管理用ＤＢ５と、アクセス管理用ＤＢ８である。ホームページ管理用ＤＢ７は、携帯電話９からの送信情報に応じて、所定のＨＰの内容に関するデータを携帯電話９に返送するためのものである。また、アクセス管理用ＤＢ８は、携帯電話９から送られた位置情報と、その携帯電話９が閲覧したＨＰを特定するＨＰ情報とを記録するためのものである。なお、本実施形態では、説明の明瞭化のために、各データベースを別々に図示しているが、これらを一つの記録媒体（例えば、ハードディスクなど）に記録しても良い。
【００１３】
図２には、フレーム１の構成概要を示した。フレーム１には、デジタル広告情報を表示可能な液晶表示部１０と、複数の広告情報を記録可能な広告情報サブＤＢ１１と、これらの機構をコントロールする主制御部１２とが設けられている。広告情報サブＤＢ１１としては、書き換えが不可能なもの（ＤＶＤ−ＲＯＭ、ＣＤ−ＲＯＭなど）を用いることもできるし、書き換え可能なもの（ハードディスク、フラッシュＳＳＤ、ハイブリッドＨＤ、メモリカード、ＤＶＤ−ＲＡＭ、ＣＤ−ＲＷなど）を用いることもできるが、広告情報を頻繁に変更できることから、書き換え可能なものを用いることが好ましい。主制御部１２は、広告情報サブＤＢ１１に記録されたデジタル広告情報に基づき、液晶表示部１０に所定の広告情報を表示する。各広告情報は、所定の順序に従って液晶表示部１０に表示することもできるし、ランダムに表示することもできる。
【００１４】
図３には、携帯電話９において、本実施形態に係る部分の構成概要を示した。携帯電話９には、二次元コード４を読み取り可能なカメラ１３と、画像として読み込まれた二次元コード４から必要なデジタル情報を取得するコード情報変換部１４と、主制御部１５と、液晶表示部１６とが備えられている。携帯電話９のカメラ１３で二次元コード４を写すことにより、インターネットＮを介して、液晶表示部１６で所定のホームページを閲覧できる。
図４には、ホームページ管理用ＤＢ７の概要を示した。このＤＢ７には、ＨＰにアクセスするためのデータであるＨＰ情報７Ａと、ＨＰの内容に関するデータ７Ｂとが備えられている。ホームページ管理用ＤＢ７は、所定のＨＰを閲覧するためのＨＰ情報７Ａをコンピュータ６から受信すると、そのＨＰ情報７Ａによって特定されたＨＰの内容に関するデータ７Ｂを返信する。
【００１５】
図５には、設置位置管理用ＤＢ５の概要を示した。このＤＢ５には、ＩＤコードとしての位置情報５Ａと、その位置情報５Ａによって特定される設置位置に関するデータ５Ｂとが備えられている。
図６には、アクセス管理用ＤＢ８の概要を示した。このＤＢ８には、携帯電話９が写した二次元コード４に含まれる位置情報８Ａと、その携帯電話９が閲覧したＨＰを順に記録したＨＰ情報８Ｂとが備えられている。
【００１６】
次に、上記のように構成された本実施形態の作用および効果について説明する。
図７には、携帯電話９を操作してＨＰを閲覧する者の操作概要を示した。
所定の位置に設置された広告表示部材２は、所定の順序に従って（或いはランダムに）複数のデジタル広告をフレーム１に表示している。例えば、（１）病院に設置された場合には、介護用品、介護施設などのデジタル広告が適宜に表示され、（２）美容院に設置された場合には、ネイルサロン、化粧品などのデジタル広告が適宜に表示されるなどの応用が考えられる。
ここで、気に入ったデジタル広告を見た場合には、携帯電話９のカメラ１３により二次元コード４を読み込む（Ｓ１００）。すると、その二次元コード４がコード情報変換部１４によって解析・変換されることにより、所定のＨＰにアクセスするためのＨＰ情報７Ａと位置情報５Ａとが得られる。
【００１７】
次に、携帯電話９は、インターネットＮを介して通信を行い、ＨＰ情報７Ａに基づき所定のＨＰにアクセスする（Ｓ１１０）。情報供給システム３は、ホームページ管理用ＤＢ７の内容に基づいて、ＨＰの内容に関するデータ７Ｂを携帯電話９に送信することで、携帯電話９の液晶表示部１６に所定のＨＰの内容が表示される（Ｓ１２０）。ここで、最初に閲覧されるＨＰ（トップページ）は、広告システムを提供する者のものであるため、そこからサブメニューなどを用いて、閲覧者が気に入ったデジタル広告に関するＨＰを閲覧することになる。携帯電話９の操作者がＨＰの閲覧操作を続ける限り、適当なＨＰの表示が行われ（Ｓ１３０のＹＥＳ）、閲覧操作を辞めるときには（Ｓ１３０のＮＯ）、インターネットＮとの接続が解除される（Ｓ１４０）。こうして、携帯電話９の操作者は、自分が気に入ったデジタル広告に関するＨＰを閲覧できる。
【００１８】
次に、図８を用いて、情報供給システム３の動作概要を説明する。まず、携帯電話９と情報供給システム３との間で情報通信を開始する（Ｓ２００）。ここで、携帯電話９からは、ＨＰ情報７Ａと位置情報５Ａとを受信すると共に、ＨＰのトップページの表示を行うためのデータを送信する（Ｓ２１０）。
次に、携帯電話９から所定のＨＰを閲覧するための情報を受信するたびに指定されたＨＰの内容に関するデータを送信する（Ｓ２２０）。この操作は、携帯電話９からの接続解除信号を受信するまで繰り返される（Ｓ２３０）。接続解除信号を受信すると、その携帯電話９が送信した位置情報８Ａ（５Ａ）と閲覧したＨＰ情報８Ｂ（７Ａ）とをアクセス管理用ＤＢ８に記録する（Ｓ２４０）。
【００１９】
このように、携帯電話９が二次元コード４を介してＨＰを閲覧すると、図７および図８のフローチャートの内容が実行されることとなり、アクセス管理用ＤＢ８には、位置情報８ＡとＨＰ情報８Ｂとが記録されていく。適当な期間（例えば、１日、１週間、１ヶ月など）ごとに、アクセス管理用ＤＢ８に記録されたデータと、設置位置管理用ＤＢ５に記録されたデータとを相互に参照することにより、次のようなデータ解析を行うことができる。
（１）所定の広告に関するホームページが閲覧された回数の多少に基づいて順位付けして、設置位置を並べ替える。このようにすると、所定の広告（或いは、その広告が属する商品・サービス）は、どのような場所に設置することにより、閲覧回数が増加するかを知ることができる。この情報に基づけば、広告主は、自分の広告の閲覧回数が多いと思われる設置位置に置かれた広告表示部材２を選択して広告を行えるので、費用対効果の良好な広告システムとなる。
【００２０】
（２）位置情報８Ａの回数の多少に基づいて順位付けして、設置位置を並べ替える。そうすれば、閲覧者の多い場所が分かるので、広告システム提供者は、広告表示部材２の設置場所に応じて、広告提供料金を設定しやすくなる。
このように本実施形態によれば、広告提供者は、自己の広告がどのような場所で閲覧される可能性が高いかを知ることができるので、広告の利用状態を評価できる。また、広告提供者は、効果的な広告設置場所を選定できるとともに、特定の場所を訪れた閲覧者に有効な広告情報を提供できる。
（３）特定の携帯電話９が、複数の二次元デジタル表示フレーム１の二次元コード４を読み取りホームページにアクセスすると、それらの二次元デジタル表示フレーム１の位置情報から特定の携帯電話９を保有する人の行動範囲、行動パターンをアクセスした履歴より分析することが可能となる。このため、その特定の携帯電話９を保有する人に対して効果的で有効な情報や広告を提供できる。
【００２１】
＜第２実施形態＞
次に、図９を参照しつつ、第２実施形態の広告システムについて説明する。なお、説明の重複を避けるため、第１実施形態と同一の構成には、同一の符号を付して説明を省略する。
本実施形態の情報提供システム２０には、広告情報サブＤＢ１１よりも多数のデジタル広告情報の内容を記録した広告情報メインＤＢ２１が設けられている。また、フレーム１は、インターネットＮに接続可能とされている。
この実施形態では、広告情報サブＤＢ１１に記録されたデジタル広告の内容を情報提供システム２０が、広告情報メインＤＢ２１の内容に基づいて書き換えることができる。
【００２２】
本実施形態によれば、広告システム提供者は、広告表示部材２が設置された場所におもむいて、広告情報サブＤＢ１１の内容を書き換える必要がなく、インターネットＮを経由して、広告情報メインＤＢ２１の内容の一部（または全部）を広告情報サブＤＢ１１に書き写すことができる。また、不要となったデジタル広告情報は、インターネットＮを経由して、広告情報サブＤＢ１１から削除できる。
また、アクセス管理用ＤＢ８に記録されたデータと、設置位置管理用ＤＢ５に記録されたデータとを相互に参照して、作成された順位付けの内容に基づいて、広告情報メインＤＢ２１から所定のデジタル広告情報の内容を所定位置に設置された広告情報サブＤＢ１１の内容を書き換えることができる。
このように、本実施形態によれば、特定の設置場所で閲覧される可能性の高い情報を含んだ広告を提供できるので、広告提供者および閲覧者にも有効な広告システムとなる。
【符号の説明】
【００２３】
１…二次元デジタル表示フレーム
２…広告表示部材
３…情報供給システム
４…二次元コード
５…設置位置管理用データベース
５Ａ，８Ａ…位置情報
５Ｂ…位置情報に関するデータ
７…ホームページ管理用データベース
７Ａ，８Ｂ…ＨＰ情報（ホームページへのアクセス情報）
７Ｂ…ホームページの内容に関するデータ
８…アクセス管理用データベース
９…携帯電話
１１…広告情報サブデータベース
１３…カメラ
２１…広告情報メインデータベース
Ｎ…インターネット
【図１】
2010211663.tif 000003
【図２】
2010211663.tif 000004
【図３】
2010211663.tif 000005
【図４】
2010211663.tif 000006
【図５】
2010211663.tif 000007
【図６】
2010211663.tif 000008
【図７】
2010211663.tif 000009
【図８】
2010211663.tif 000010
【図９】
2010211663.tif 000011